(57)【特許請求の範囲】
【請求項１】
肌対向面を形成する表面シート、非肌対向面を形成する外層シート及び両シート間に位置する吸収体を備えた縦長の使い捨ておむつであって、
前記吸収体は、前記使い捨ておむつの長手方向に長い形状の吸収性コアを有し、該吸収性コアは吸水性ポリマーを含んでおり、
前記吸収性コアは、平面視形状において括れた部分を有しており、
前記吸収性コアに、前記括れた部分の最小幅と同じ長さの吸収体股下領域を設定したとき、又は前記括れた部分における最も幅が狭い部位が、該吸収性コアの長手方向に連続して存在し、最も狭い幅が連続して存在する範囲の長さが、最も幅が狭い部位の幅より長い場合における、該吸収性コアの該範囲の全域を吸収体股下領域と設定したときに、長手方向における該吸収体股下領域の前後に、面積が相互に異なる大面積領域及び小面積領域を有しており、
前記吸収性コアに、長手方向に延びるスリットが、前記吸収体股下領域から前記大面積領域に亘って形成されており、
前記スリットは、前記使い捨ておむつの長手方向の全長を２等分する中央線と交差し、該スリットの全長の８０％以上が該中央線より前記大面積領域側に位置し、且つ前記大面積領域における幅が前記股下領域における幅より広い、使い捨ておむつ。
【請求項２】
前記表面シートは、前記長手方向に延びる畝部及び畝部間に位置する溝部を有する請求項１記載の使い捨ておむつ。
【請求項３】
前記吸収性コアと前記外層シートとの間に、前記長手方向に伸縮する伸縮性シートを有しており、該伸縮性シートは、少なくとも股下領域における前記スリットと重なる位置に配されている、請求項１又は２記載の使い捨ておむつ。
【請求項４】
前記吸収性コアと前記外層シートとの間に、前記長手方向に交差する方向に伸縮する伸縮性シートを有しており、該伸縮性シートは、少なくとも吸収体股下領域における前記スリットと重なる位置に配されている、請求項１〜３の何れか１項に記載の使い捨ておむつ。
【請求項５】
前記吸収体は、前記吸収性コアを包むコアラップシートを有し、該吸収性コアと、その非肌対向面側に位置するコアラップシートとの間に、液拡散性に優れたスリット下敷シートが、前記スリットと重ねた状態に配されている、請求項１〜４の何れか１項に記載の使い捨ておむつ。
【請求項６】
前記吸収性コアは、吸水性ポリマーとパルプ繊維とを含み、該吸収性コアの総質量に対する該パルプ繊維の質量の割合が５０％以上である、請求項１〜５の何れか１項に記載の使い捨ておむつ。
【請求項７】
前記吸収体は、前記吸収性コアが、拡散性の高いコアラップシートによって被覆されている、請求項１〜６の何れか１項に記載の使い捨ておむつ。
【請求項８】
前記吸収性コアは、その長手方向における前記スリットが形成されている範囲であるスリット領域の坪量が、前記小面積領域の坪量よりも高い、請求項１〜７の何れか１項に記載の使い捨ておむつ。
【請求項９】
前記吸収性コアの前記表面シート側の面が、液透過性が低いコアラップシートによって被覆されている、請求項１〜８の何れか１項に記載の使い捨ておむつ。
【請求項１０】
前記吸収体股下領域及び前記大面積領域に、前記スリットとは別に長手方向に延びる第２のスリット及び該長手方向と交差する方向に延びる複数本の横スリットからなる補助スリットが形成されており、前記吸収性コアに、前記スリット及び前記補助スリットにより囲まれた複数の小吸収部が形成されている、請求項１〜９の何れか１項に記載の使い捨ておむつ。
【請求項１１】
前記吸収体股下領域におけるスリットは、吸収性コアの吸液膨潤後に消失する一方、前記大面積領域におけるスリットは、吸収性コアの吸液膨潤後に消失しない、請求項１〜１０の何れか１項に記載の使い捨ておむつ。
【発明の詳細な説明】
【技術分野】
【０００１】
本発明は、使い捨ておむつに関する。
【背景技術】
【０００２】
使い捨ておむつの吸収体として、フィット性を向上させる観点から、着用者の股下部に配される部分を括れた形状としたものが知られている。しかし、吸収体を括れた形状とすることは、股下部に十分な吸収容量を確保することを難しくし、股下部からの液漏れや、吸収した液が着用者の肌に戻る、いわゆる液戻りが生じ易くなる。
吸収体を構成する吸収性コアにスリットを設ける技術として、特許文献１には、上側吸収層と下側吸収層とを有する吸収性構造体に関し、下側吸収層が前後方向に延びる開口を有し、上側吸収層が前記開口の後側端を覆っている吸収性構造体が記載されている。また、特許文献２には、吸収性コアに、非肌対向面側に開口部を有するスリットを、吸収性コアの長手方向に延びるように形成することが記載されている。
【先行技術文献】
【特許文献】
【０００３】
【特許文献１】特開２０１２−０４０２６０号公報
【特許文献２】特開２０１２−１４３５４２号公報
【発明の概要】
【発明が解決しようとする課題】
【０００４】
特許文献１には、下側吸収層の開口で尿等が前後方向に拡散し、開口の後吸収性構造体方側に拡散した尿等が、開口の後側端が上側吸収層で覆われて形成されるポケットに収容されることが記載されている。しかし、下側吸収層の開口は、吸収性物品の中央部付近のみに形成され、しかも前側に位置する部分の方が長いので、液が股下部付近に留まりやすい。また、開口の幅が一定であるため、開口を細幅とした場合には、吸液時に、その開口の全体が閉鎖して、前後方向への液の拡散機能が損なわれやすく、開口の幅を広くした場合には、股下部における吸収容量が低下し、却って漏れやすくなる恐れがある。
特許文献２におけるスリットは、吸収性コアの前後方向に長く延びているが、吸収性コアを、前後非対称として前と後とで吸収容量に差をつけることや、スリット幅を異ならせて、吸収容量の大きい領域に効果的に誘導することについて記載されていない。
【０００５】
従って、本発明は、股下部のフィット性、漏れ防止性及び着用者の肌への液戻り防止性に優れた使い捨ておむつに関する。
【課題を解決するための手段】
【０００６】
本発明は、肌対向面を形成する表面シート、非肌対向面を形成する外層シート及び両シート間に位置する吸収体を備えた縦長の使い捨ておむつであって、前記吸収体は、前記使い捨ておむつの長手方向に長い形状の吸収性コアを有し、該吸収性コアは吸水性ポリマーを含んでおり、前記吸収性コアは、平面視形状において括れた部分を有しており、前記吸収性コアに、前記括れた部分の最小幅と同じ長さの吸収体股下領域を設定したときに、長手方向における該吸収体股下領域の前後に、面積が相互に異なる大面積領域及び小面積領域を有しており、前記吸収性コアに、長手方向に延びるスリットが、前記吸収体股下領域から前記大面積領域に亘って形成されており、前記スリットは、前記使い捨ておむつの長手方向の全長を２等分する中央線と交差し、該スリットの全長の８０％以上が該中央線より前記大面積領域側に位置し、且つ前記大面積領域における幅が前記股下領域における幅より広い、使い捨ておむつを提供するものである。
【発明の効果】
【０００７】
本発明の使い捨ておむつは、股下部のフィット性、漏れ防止性及び肌への液戻り防止性に優れている
【図面の簡単な説明】
【０００８】
【図１】図１は、本発明の一実施形態である使い捨ておむつを示す一部切欠平面図である。
【図２】図２は、図１のＩＩ−ＩＩ線断面図である。
【図３】図３は、吸収体股下領域、大面積領域、小面積領域及びスリット領域の説明図である。
【図４】図４は、図１の使い捨ておむつの大面積領域のスリット付近の断面（図１のＩＩＩ−ＩＩＩ線に沿う断面）を示す断面図である。
【図５】図５（ａ）及び図５（ｂ）は、それぞれ、本発明の使い捨ておむつに好ましく用いられる表面シートの例を示す斜視図である。
【図６】図６（ａ）は、本発明の他の実施形態である使い捨ておむつの肌対向面を構成するシート及び弾性部材を除外して示す模式平面図であり、図６（ｂ）は、図６（ａ）に示す使い捨ておむつの図２相当図である。
【図７】図７は、本発明の更に他の実施形態である使い捨ておむつの図２相当図である。
【図８】図８は、本発明の更に他の実施形態である使い捨ておむつの吸収性コアを示す平面図である。
【図９】図９（ａ）は、実施例に用いた吸収体における吸収性コアを示す平面図であり、図９（ｂ）は、その吸収性コアの吸液膨潤後の状態を示す平面図である。
【図１０】図１０（ａ）は、比較例に用いた吸収体における吸収性コアを示す平面図であり、図１０（ｂ）は、その吸収性コアの吸液膨潤後の状態を示す平面図である
【図１１】図１１は、液透過性試験に用いた器具を示す図である。
【発明を実施するための形態】
【０００９】
以下、本発明をその好ましい実施形態に基づき図面を参照しながら説明する。
本発明の一実施形態としての使い捨ておむつ１（以下、単におむつ１ともいう）は、図１及び図２に示すように、肌対向面を形成する液透過性の表面シート２、非肌対向面を形成する外層シート３、及び両シート２，３間に位置する液保持性の吸収体４を備えている。肌対向面は、おむつの着用時に、着用者の肌側に向けられる面であり、非肌対向面は、おむつの着用時に、着用者の肌側とは反対側に向けられる面である。本発明では、おむつ長手方向を、装着者の腹側（前側）と背中側（後側）の方向、つまり前後方向とも言う。
【００１０】
おむつ１は、着用者の前後方向に対応する方向、より詳しくは着用時に着用者の前後方向と一致する方向である長手方向Ｘと、おむつ１を、図１に示すように平面状に広げた状態において、前記長手方向Ｘと交差する幅方向Ｙとを有している。
おむつ１は、長手方向Ｘに、着用時に着用者の腹側に配される腹側部Ａ、着用時に着用者の背側に配される背側部Ｂ、及び、着用時に着用者の股間に配される股下部Ｃとを有している。また、本実施形態のおむつ１は、図１に示すように、展開型の使い捨ておむつであり、背側部Ｂの両側縁部に、ファスニングテープ５，５が設けられ、腹側部Ａの外表面にファスニングテープ５，５を止着するランディングゾーン５１が設けられている。また、おむつ１は、股下部Ｃの両側縁が円弧状に形成されており、平面視において、長手方向Ｘの中央部が括れた形状を有している。
【００１１】
外層シート３は、おむつ１の非肌対向面（外表面）を形成するシートであり、外層シート３を、おむつ１の非肌対向面側から視た平面視形状は、おむつ１の外形形状に一致する形状を有している。外層シート３としては、例えば、液難透過性の樹脂フィルムからなるものや、樹脂フィルムの非肌対向面側に不織布を積層接着したもの等が好ましく用いられる。外層シート３は、２枚又は３枚以上のシートを、おむつ１の長手方向に連結してなるものであっても良い。
表面シート２は、液透過性の各種公知のシートからなる。本実施形態における表面シート２は、図１及び図２に示すように、外層シート３より幅が狭く、外層シート３の幅方向中央部上に配されている。表面シート２と外層シート３との間には、おむつ１の長手方向Ｘに長い形状の吸収体４が介在している。
【００１２】
吸収体４、パルプ繊維等の繊維材料からなる繊維集合体及びこれに保持させた吸水性ポリマーの粒子からなる吸収性コア４０と、該吸収性コア４０を被覆するコアラップシート４１，４２とからなる。コアラップシート４１，４２としては、各種公知のものを用いることができ、例えばティッシュペーパのような透水性の薄紙や透水性の不織布等が好ましく用いられる。吸収性コア４０は、吸収体４と略同じ平面視形状をしている。コアラップシート４１，４２は、吸収性コア４０の長手方向の両端４０ａ，４０ｂと同位置、又は該両端４０ａ，４０ｂから長手方向Ｙに若干延出した位置に長手方向Ｙの両端を有している。
【００１３】
図１及び図２に示すように、おむつ１の股下部Ｃの両側部には、レッグ部弾性部材９が伸長状態で配されている。レッグ部弾性部材９は、おむつ１の長手方向両側にそれぞれ１本又は複数本配されている。レッグ部弾性部材９は、外層シート３と立体ギャザー６，６形成用のシート材６２との間に接着剤を介して固定されている。レッグ部弾性部材９は、収縮して、着用者の脚廻りに配されるレッグ部にレッグギャザーを形成する。また、おむつ１における長手方向の両側には、弾性部材６１を有する立体ギャザー形成用のシート材６２が配されており、おむつの着用時には、弾性部材６１の収縮により、着用者の肌に向かって起立する立体ギャザー６が形成される。
【００１４】
本実施形態のおむつ１においては、吸収性コア４０が、図１に示すように、平面視形状において括れた部分Ｐを有している。
括れた部分Ｐは、おむつ１の長手方向Ｘに沿う吸収性コア４０の長手方向において、前と後を、当該部位より幅が広い部位に挟まれた部位である。
【００１５】
本発明における「吸収体股下領域」は、そのような吸収性コアの括れた部分に、括れた部分の最小幅と同じ長さの領域として設定する。
本発明における「吸収体股下領域」についてさらに具体的に説明する。なお、吸収性コア４０の長手方向は、おむつ１の長手方向Ｘと同方向であるため、吸収性コア４０の長手方向も長手方向Ｘと表現する。
図３（ａ）に示すように、吸収性コア４０の括れた部分Ｐにおける最も幅が狭い部位を中心とし、長手方向Ｘの長さｂが、前記最も幅が狭い部位の幅ａ（最小幅）と同一の長さを有する領域を吸収体股下領域４０ｃとする。
また、図３（ｂ）に示すように、最も幅が狭い部位が、吸収性コア４０の長手方向Ｘに直線状に連続して存在する場合には、以下のように吸収体股下領域４０ｃを設定する。
最も狭い幅がＸ方向に直線状に連続して存在する範囲の長さｃが、最も幅が狭い部位の幅ａ（最小幅）以下である場合（ｃ≦ａ）には、該長さｃを２等分する位置を中心とし、長手方向Ｘの長さｂが、前記最も幅が狭い部位の幅ａ（最小幅）と同一の領域を吸収体股下領域４０ｃとする。他方、図３（ｂ）に示すように、最も狭い幅が連続して存在する範囲の長さｃが、最も幅が狭い部位の幅ａ（最小幅）より長い場合（ｃ＞ａ）には、例外的に、吸収性コア４０の該範囲（最も狭い幅が連続して存在する範囲）の全域を吸収体股下領域４０ｃとする。
【００１６】
本実施形態のおむつ１においては、吸収性コア４０の括れた部分Ｐは、おむつ１における、両側縁が凹状をなす股下部Ｃ内に形成されている。また、おむつ１の股下部Ｃにおける最小幅部（幅が最小の部位）を中心として、おむつ１の長手方向に、吸収性コアの括れた部分Ｐの最小幅ａと同じ長さの範囲（おむつの範囲）を設定したときに、該範囲内に、吸収性コア４０の括れた部分Ｐにおける幅が最小の部位が存在する。また、おむつ１の長手方向の全長Ｌを２等分する中央線ＣＬを中心として、おむつ１の長手方向に、吸収性コアの括れた部分Ｐの最小幅ａと同じ長さの範囲（おむつの範囲）を設定したときにも、該範囲内に、吸収性コア４０の括れた部分Ｐにおける幅が最小の部位が存在する。
【００１７】
本実施形態における吸収性コア４０は、その長手方向Ｘにおける、前述のように定義された吸収体股下領域４０ｃの前と後に、面積が相互に異なる大面積領域４０ａ及び小面積領域４０ｂを有している。図３に示すように、大面積領域４０ａ及び小面積領域４０ｂの面積は、それぞれ、吸収性コアを平面状に広げた状態における平面積であり、それぞれの面積にはスリット７部分の面積も含める。
図１及び図３（ｂ）に示す吸収性コア４０は、吸収体股下領域４０ｃに対して、腹側部Ａ側に大面積領域４０ａを有し、背側部Ｂ側に小面積領域４０ｂを有している。そのため、排尿量が比較的増加した月例以後の高月齢用の幼児用に適している。他方、本発明の使い捨ておむつにおける吸収性コア４０は、吸収体股下領域４０ｃに対して、背側部Ｂ側に大面積領域４０ａ、腹側部Ａ側に小面積領域４０ｂを有するものであっても良い。その場合、液体状の大便の排泄量が多い低月齢の乳幼児用に適したものとなる。
【００１８】
本実施形態における吸収性コア４０について更に説明すると、吸収性コア４０には、図１に示すように、長手方向Ｘに延びるスリット７が、吸収体股下領域４０ｃから大面積領域４０ａに亘って形成されている。また、スリット７は、おむつの長手方向の全長Ｌを２等分する中央線ＣＬと交差し、該スリット７の全長Ｌ１の８０％以上が該中央線ＣＬより大面積領域４０ａ側に位置している。
本発明において、スリットとは、吸収性コアの一部に形成した、吸収性コアの形成材料が存在しない部分であり、一方向に長い形状を有している。スリットは、吸収性コアの形成材料である吸収コア形成材料が低坪量に存在しても構わない。ただし、スリットは、吸収性コアを貫通していることが好ましい。また、スリット部分に吸収コア形成材料が低坪量に存在する場合、その坪量は、吸収性コアの他の部分（例えば、スリットに隣接する部分）の坪量の１５％以下であることが好ましく、５％以下であることがより好ましい。
スリット７及び後述する第２のスリット７Ａは、おむつ１の長手方向と同方向である吸収性コアの長手方向に長い形状を有しており、後述する横スリット７Ｂは、吸収性コアの長手方向と交差する方向Ｙに長い形状を有している。
【００１９】
吸収体股下領域４０ｃに中央線ＣＬと交差するスリット７を有し、該スリット７が、大面積領域４０ａまで延在して、その全長Ｌ１の８０％以上が中央線ＣＬより大面積領域４０ａ側に位置することで、幅が狭く吸収容量が小さい吸収体股下領域４０ｃ上に排泄された尿や液状の便（以下、尿等という）を、効率良く大面積領域４０ａの広い範囲に拡散させて吸収させることができる。特に、スリット７は、大面積領域４０ａにおける幅Ｗ２が、吸収体股下領域４０ｃにおける幅Ｗ１より広くなっているため、大面積領域４０ａが吸液して吸水性ポリマーが膨潤しても、少なくとも、大面積領域４０ａにおけるスリット７の開口状態が維持され〔図９参照〕、上述したスリット７による液の拡散機能が良好に維持される。
本実施形態の使い捨ておむつ１によれば、吸収性コア４０における大面積領域４０ａの高い吸収容量を有効活用することができ、股下部における良好なフィット性を維持しつつ、股下部からの液漏れや、吸収した液が着用者の肌に触れる状態に戻る液戻りも効果的に抑制することができる。
【００２０】
このような効果が一層確実に奏されるようにする観点から、吸収性コア４０は以下の一又は二以上の条件を満たすことが好ましい。
スリット７は、前記中央線ＣＬより大面積領域４０ａ側に位置する部分の長さＬ２（図１参照）が、スリットの全長Ｌ１（図１参照）の、好ましくは８０〜９５％、更に好ましくは８５〜９５％である。
また、スリット７の全長Ｌ１は、前記外層シート３の全長Ｌの、好ましくは４０〜７０％、更に好ましくは５０〜６０％である。
【００２１】
本実施形態における吸収性コア４０のスリット７は、図１に示すように、相対的に幅が狭い細幅部分７１と相対的に幅が広い広幅部分７２を有しており、細幅部分７１は、主として吸収体股下領域４０ｃに存在し、広幅部分７２は、主として大面積領域４０ａに存在する。
本実施形態におけるスリット７は、細幅部分７１と広幅部分７２の境界が、吸収体股下領域４０ｃと大面積領域４０ａの境界よりも大面積領域４０ａ側に位置しているが、細幅部分７１と広幅部分７２の境界は、吸収体股下領域４０ｃと大面積領域４０ａの境界と同じ位置にあっても良い。
【００２２】
また、スリット７は、広幅部分７２の幅Ｗ２が細幅部分７１の幅Ｗ１の、好ましくは１．５〜４．０倍、更に好ましくは２．０〜３．０倍である。
また、スリット７の細幅部分７１の幅Ｗ１は、好ましくは２０ｍｍ以下、更に好ましくは１５ｍｍ以下であり、また、好ましくは３ｍｍ以上、更に好ましくは５ｍｍ以上である。また、スリット７の広幅部分７２の幅Ｗ２は、好ましくは４．５ｍｍ以上、更に好ましくは７．５ｍｍ以上であり、また、好ましくは３０ｍｍ以下、更に好ましくは２０ｍｍ以下である。また、広幅部分７２の幅Ｗ２と細幅部分７１の幅Ｗ１との差（Ｗ２−Ｗ１）は、好ましくは２ｍｍ以上、更に好ましくは５ｍｍ以上であり、また、好ましくは３０ｍｍ以下、更に好ましくは２０ｍｍ以下である。
【００２３】
大面積領域４０ａの面積は、小面積領域４０ｂの面積の、好ましくは１５０％以上であり、更に好ましくは２００％以上であり、また好ましくは５００％以下、更に好ましくは４００％以下であり、また、好ましくは１５０〜５００％であり、更に好ましく２００〜４００％である。
大面積領域４０ａの面積は、吸収体股下領域４０ｃの面積の、好ましくは３００％以上であり、更に好ましくは４００％以上であり、また好ましくは６００％以下、更に好ましくは５００％以下である。小面積領域４０ｂの面積は、吸収体股下領域４０ｃの面積の、好ましくは１１０％以上であり、更に好ましくは１２０％以上であり、また好ましくは３００％以下、更に好ましくは２００％以下である。
【００２４】
また、本実施形態におけるスリット７は、図２及び図４に示すように、吸収体股下領域４０ｃ及び大面積領域４０ａの何れにおいても吸収性コア４０を厚み方向に貫通している。また、細幅部分７１と広幅部分７２は、それぞれ、長手方向Ｘに亘って幅が均一である。また、スリット７は、本実施形態におけるように、小面積領域４０ｂには延在していないことが好ましい。
吸収性コア４０に形成するスリット７においては、図２に示すように、スリット７と重なる部分において、吸収性コア４０の肌対向面側に位置する上側コアラップシート４１と、非肌対向面側に位置する下側コアラップシート４２との間が、非接合又は離間状態となっていても良いし、図３に示すように、スリット７と重なる部分において、吸収性コア４０の肌対向面側に位置する上側コアラップシート４１と、非肌対向面側に位置する下側コアラップシート４２との間が接合されていても良いが、吸収体股下領域４０ｃにおける細幅部分７１においては、スリット７を介して上下のシート４１，４２間が接合されていることが、排泄物の拡散性の点から好ましく、大面積領域４０ａにおける広幅部分７２においても、スリット７を介して上下のシート４１，４２間が接合されていることが、排泄物の拡散性の点から好ましい。図４に示す例においては、スリット７内に、上側のコアラップシート４１及び表面シート２が陥入して、それらが下側のコアラップシート４２及び外層シート３と一体化されている。
【００２５】
表面シート２としては、使い捨ておむつの表面シートとして従来用いられている各種のシート等を特に制限なく用いることができ、例えば、開孔フィルムや単層又は多層構造の各種製法による不織布を用いることができるが、表面シート２としては、図５（ａ）及び図５（ｂ）に示す表面シート２Ａ，２Ｂのように、おむつの長手方向Ｘに延びる畝部２１及び畝部２１，２１間に位置する溝部２２を有するものを用いることが、吸収体股下領域４０ｃ上に排泄された尿等の、大面積領域４０ａへの拡散が一層促進されるので好ましい。
【００２６】
図５（ａ）に示す表面シート２Ａは、単層又は多層構造の不織布に立体的な形状を付与したものであり、おむつの長手方向Ｘと交差する幅方向Ｙの断面形状が、上下面とも連続波状をなし、畝部２１の内に空洞を生じるものである。表面シート２Ａは、溝部２２の下面が、その下に配されるシート、例えばコアラップシート４１や、表面シート２とコアラップシートとの間に配されるセカンドシートに接合されることが好ましい。このような表面シート２Ａとしては、例えば、特開１９９６−３０２５５５号公報、特開１９９６−２４６３２１号公報、及び特開２００４−２７５２９６号公報に記載のもの等を用いることができる。
図５（ｂ）に示す表面シート２Ｂは、おむつの長手方向Ｘと交差する幅方向Ｙの断面形状が、上面は連続波状をなす一方、下面は、略平坦であり、畝部２１の内部は中実である。このような表面シート２Ｂとしては、例えば、特開２００９−２９９２２７号公報、特開２００１−０９５８４５号公報、及び特開２００８−０２５０７９号公報に記載のもの等を用いることができる。
【００２７】
本発明の使い捨ておむつは、図６に示す使い捨ておむつ１Ａのように、吸収性コア４０と外層シート３との間に、おむつの長手方向Ｘ又は該長手方向に交差する方向Ｙに伸縮する伸縮性シート８を有し、該伸縮性シート８が、少なくとも吸収体股下領域４０ｃにおけるスリット７と重なる位置に配されていることも好ましい。使い捨ておむつ１Ａにおいては、伸縮性シート８が、吸収性コア４０の非肌対向面側を被覆する下側のコアラップシート４２と外層シート３との間に配されている。使い捨ておむつ１Ａについて、特に説明しない点は、上述したおむつ１と同様である。
【００２８】
伸縮性シート８として、おむつの長手方向Ｘに伸縮するものを配して、吸収体４やその吸収性コア４０を、おむつの長手方向に収縮させることにより、吸収体４や吸収性コア４０の単位面積当たりの吸収容量を増加させることができる。それにより、股下部Ｃ等からの液漏れを一層確実に防止することができる。斯かる効果が一層確実に奏されるようにする観点から、伸縮性シート８は、それを挟む上下の部材の少なくとも一方に長手方向Ｘに伸長させた状態で接合されていることが好ましい。また、同様の観点から、伸縮性シート８は、図６（ａ）に示すように、吸収体股下領域４０ｃから大面積領域４０ａに亘って、スリット７と重なるように配されていることが好ましい。接合手段としては、接着剤等の各種公知の方法を採用でき、また、接合は全面的に接合されていても良いし、特定のパターンで部分的に接合されていても良い。
【００２９】
他方、伸縮性シート８として、おむつの長手方向Ｘと交差する方向Ｙ、好ましくは長手方向Ｘと直交する方向Ｙに伸縮するものを配した場合には、吸収体４やその吸収性コア４０を、おむつの幅方向に収縮させることにより、股下部Ｃ等における着用者の肌へのフィット性を向上させることができる。また表面シート２にも、長手方向Ｘに延びるシワが生じて、液の長手方向Ｘへの拡散性が向上するため、吸収体股下領域４０ｃが存在する股下部Ｃに、尿等が滞留することを一層確実に防止することができる。
斯かる効果が奏されるようにする観点から、伸縮性シート８は、それを挟む上下の部材の少なくとも一方に幅方向Ｙに伸長させた状態で接合されていることが好ましい。また、同様の観点から、伸縮性シート８は、図６（ａ）に示すように、吸収体股下領域４０ｃから大面積領域４０ａに亘って、スリット７と重なるように配されていることが好ましい。接合手段としては、接着剤等の各種公知の方法を採用でき、また、接合は全面的に接合されていても良いし、特定のパターンで部分的に接合されていても良い。
【００３０】
伸縮性シート８としては、ポリウレタンやエラストマーからなる弾性シートを用いることもできるが、例えば、特開２０１３−１８９７４５号公報、特開２０１３−８１７１５号公報等に記載の伸縮性シートのように、伸縮時の厚みが薄く、着用者の体に密着するものを用いることが股下部からの液モレを抑制する点から好ましい。また、伸縮性シート８としては、おむつの長手方向Ｘ及びその交差方向の両方向に伸縮性を有するものを用いることも好ましい。
【００３１】
本発明の使い捨ておむつは、図７に示す使い捨ておむつ１Ｂのように、吸収体４が、吸収性コア４０を包むコアラップシート４１，４２を有し、該吸収性コア４０と、その非肌対向面側に位置するコアラップシート４２との間に、液拡散性に優れたスリット下敷シート４３が、スリット７と重ねた状態に配されていることも好ましい。使い捨ておむつ１Ｂにおける液高拡散性のシート４３は、吸収性コア４０の平面視における配置範囲が、使い捨ておむつ１Ａにおける伸縮性シート８と同様であり、吸収体股下領域４０ｃのみならず、吸収体股下領域４０ｃから大面積領域４０ａに亘るスリット７と重なるように配されている。
【００３２】
スリット下敷シート４３に関し、「液拡散性に優れた」とは、ＪＩＳ Ｐ ８１４１に規定される「紙及び板紙のクレム法による吸水度試験方法」によって得られるクレム吸水度が１０分で１００ｍｍ以上、特に１５０ｍｍ以上の範囲にあることを意味する。
【００３３】
使い捨ておむつ１Ｂのように、吸収性コア４０の非肌対向面側にスリット７部分を覆うようにスリット下敷シート４３を配することで、スリット７を介した液の長手方向Ｘへの拡散性が一層向上し、液漏れや、液戻りを一層確実に抑制することができる。
スリット下敷シート４３としては、例えば、特開２００４−２９８３８４に記載の合成繊維および合成繊維とセルロース系繊維の両繊維からなる不織布、または特開２０１３−１５０７９９に記載の叩解パルプと再生セルロースより成る不織布等を用いることができる。
【００３４】
上述したおむつ１，１Ａ，１Ｂにおける吸収性コア４０は、前述したように、パルプ繊維等の繊維材料からなる繊維集合体及びこれに保持させた吸水性ポリマーの粒子からなる。繊維集合体を構成する繊維材料としては、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマーの粒子としては、例えば、使い捨ておむつに従来用いられている各種の吸水性ポリマーを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
吸収性コア４０は、空気流に載せて供給した繊維材料を、所定形状の積繊用凹部内に吸引して堆積させる積繊工程を経て得られるものが好ましく、繊維材料とともに吸水性ポリマーを空気流に乗せて供給し、混合状態等の所定の堆積状態に堆積させて製造したものがより好ましい。前述したスリット７は、積繊ドラムの積繊用凹部内に、スリット７に対応する形状の非通気性の凸部等を設けることにより容易に形成することができる。
【００３５】
本発明における吸収性コアは、吸水性ポリマーとパルプ繊維とを含み、該吸収性コアの総質量に対する該パルプ繊維の質量の割合が５０％以上であることが、吸液により膨潤した吸水性ポリマーがゲル状となって、それ以後の吸液を阻害するゲルブロッキングと呼ばれる現象を起こり難くする観点から好ましい。吸収性コアの総質量に対するパルプ繊維の質量の割合は、より好ましくは３０％以上であり、また好ましくは７０％以下、更に好ましくは６０％以下であり、より具体的には、好ましくは４０〜７０％、更に好ましくは５０〜６０％である。吸収性コアの総質量に対する、パルプ繊維及び吸水性ポリマーの合計質量の割合は、好ましくは９０〜１００％であり、更に好ましくは９５〜１００％である。
【００３６】
また、吸収体４は、吸収性コア４０が、拡散性の高いコアラップシート４１，４２によって被覆されていることが、スリット７を介した液の拡散性を一層向上させ得るので好ましい。ここで、コアラップシートに関し、拡散性の高いとは、下記方法により測定したクレム吸水量が好ましくは０．２ｇ／３０ｓｅｃ・１５ｍｍ以上、更に好ましくは０．２〜０．４ｇ／３０ｓｅｃ・１５ｍｍの範囲であることを意味する。
【００３７】
〔クレム吸水量の測定方法〕
測定対象シート（薄葉紙）を室温２３℃±２℃、相対湿度５０％ＲＨ±２％の環境下で１２時間放置して一定状態になるよう調湿する。調湿後のシートから、ＭＤに１５０ｍｍ、ＣＤに１５ｍｍの寸法の長方形形状を切り出し、この切り出された長方形形状をサンプルとする。サンプルの一方の短辺から長手方向内方に５ｍｍ離間した位置に、該短辺と平行な直線（標線）を鉛筆で引く。そして、サンプルの長辺が垂直になるように該サンプルを電子天秤の下部に吊り下げ、この吊り下げ状態を保持したままで該サンプルを前記標線まで素早く測定液（生理食塩水）中に入れる。尚、サンプルは、前記標線（鉛筆で引いた直線）が前記測定液に近くなるように吊り下げる。そして、サンプルを測定液中に入れてから３０秒後の該サンプルの重量増加分を電子天秤で測定し、その測定値をクレム吸水量（ｇ／３０ｓｅｃ．１５ｍｍ）とする。クレム吸水量が多いほど高評価となる。尚、電子天秤には、市販の電子天秤データ取り込みソフト（商品名 RｓCom Ver２．４０：（株）エー・アンド・デイ社製）がインストールされたパーソナルコンピュータが電気的に接続されており、これによりサンプルの重量変化を記録することができる。
【００３８】
上述したおむつ１，１Ａ，１Ｂにおいては、吸収性コア４０の肌対向面側を被覆する上側のコアラップシート４１と、吸収性コア４０の非肌対向面側を被覆する下側のコアラップシート４２とが別体のシートであるが、少なくとも、非肌対向面側を被覆するコアラップシート４２が、ここでいう「拡散性の高い」シートであることが好ましい。
【００３９】
また、本発明における吸収性コア４０は、吸収体股下領域４０ｃと大面積領域４０ａとを合わせた領域の内の、スリット７が形成されている範囲であるスリット領域４０ｓ（図３参照）の坪量が、小面積領域４０ｂの坪量よりも高いことが、スリットが形成されて液の拡散性が高まっている領域の吸収容量を高めることで、モレ防止及び液戻り抑制になるので好ましい。ここで、スリット領域４０ｓ及び小面積領域４０ｂの坪量は、それぞれの領域ごとに、質量を面積で除して算出する。質量は、吸収性コアを構成する全成分の合計質量とする。スリット領域４０ｓの面積には、スリット７部分の面積も含める。
【００４０】
本発明における吸収性コアは、表面シート側の面が、液透過性が低いコアラップシートによって被覆されていること好ましい。スリットと重なる部位に供給された尿等が、スリットの内壁面から吸収性コアに吸収されるまでの時間を長くすることで、尿等が、長手方向Ｘに拡散し易くなり吸収体の吸収容量を有効活用できる。ここで、コアラップシートに関し、液透過性が低いとは、下記方法により測定した液透過時間が１０秒以上、好ましくは１５秒以上であることを意味する。
【００４１】
〔液透過時間の測定方法〕
図１１に示すように、上下端が開口している内径３５ｍｍの２本の円筒９１，９２を、両円筒９１，９２の軸を一致させて上下に配し、直径５５ｍｍの金属製メッシュ網、４０ｍｍ四方のカットサンプル片、およびその上側にアドバンテック社製１０１直径５５ｍｍのろ紙１枚をセットし、上下の円筒９１，９２間に挟み込む。このとき、上側の円筒９１の下端及び下側の円筒９２の上端に設けられた環状のフランジ部にクリップ９３を嵌合させ、上下の円筒９１，９２を連結させることが好ましい。符号９４は、円筒９１，９２の内径と同径同形状の貫通孔を有するゴム製等のパッキンである。このように、上下の円筒９１，９２でカットサンプル片を挟持固定した状態で、上側の円筒９１内に、図１１中符合Ｗで示す人工尿を４０ｇ供給する。供給された人工尿は、カットサンプル片を透過し、下側の円筒９２内を通って該円筒９２の下端から流れ落ちる。この下側の円筒９２から流れ落ちる人工尿の重量の経時変化を、電子天秤等の重量測定手段を用いて観察し、人工尿の供給開始時から該質量が２０ｇになるまでの時間を測定し、その時間を液透過時間とする。複数回の測定においては、カットサンプル片はその都度新しいものを用意する。測定は３回行い、平均値を測定値とする。
液透過時間の測定で使用する人工尿の組成は次の通りである。
尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００４２】
上述したおむつ１，１Ａ，１Ｂにおいては、吸収性コア４０の肌対向面側を被覆する上側のコアラップシート４１と、吸収性コア４０の非肌対向面側を被覆する下側のコアラップシート４２とが別体のシートであるが、少なくとも、肌対向面側を被覆するコアラップシート４１が、ここでいう「液透過性が低い」シートであることが好ましい。
液透過性が低いコアラップシートは、液透過時間が、好ましくは１０秒以上、更に好ましくは１５秒以上であり、また、好ましくは６０秒以下、更に好ましくは５０秒以下である。
【００４３】
図８は、本発明で採用し得る吸収性コアの他の例を示す吸収性コアの平面図である。図８に示す吸収性コア４０’は、例えば、上述したおむつ１，１Ａ，１Ｂにおける吸収性コア４０に代えて用いることができる。
吸収性コア４０’においては、上述したおむつ１における吸収性コア４０と同様に、吸収性コア４０の幅方向Ｙの中央部に、長手方向Ｘに延びる縦長のスリット７が、吸収体股下領域４０ｃから大面積領域４０ａに亘って形成されており、そのスリット７は、吸収体股下領域４０ｃに細幅部分７１を有し、大面積領域４０ａに広幅部分７２を有している。
吸収性コア４０’は、上記のスリット７に加えて、更に補助スリットとして第２のスリット７Ａ及び横スリット７Ｂをスリット７とは別に有している。これらのスリット及び補助スリットは、いずれも吸収性コア４０’を厚み方向に貫通している。
また、吸収性コア４０’においては、吸収体股下領域４０ｃ及び大面積領域４０ａに、長手方向Ｘに延びる第２のスリット７Ａ，７Ａ及び該長手方向Ｘと交差する方向Ｙに延びる複数本の横スリット７Ｂが形成されており、該吸収性コア４０’に、スリットと補助スリットにより囲まれた複数の小吸収部７５，７６が形成されている。より具体的には、第２のスリット７Ａは、幅方向Ｙの中央に配されたスリット７の両側それぞれに１本づつ形成されている。横スリット７Ｂは、吸収体股下領域４０ｃに１本又は複数本、大面積領域４０ａに複数本形成されており、それらの横スリット７Ｂは、それぞれ、中央のスリット７と十字状に交差するとともに、中央のスリット７を挟んでその両側に位置する第２のスリット７Ａ，７Ａのそれぞれにも連結されている。大面積領域４０ａに形成された横スリット７Ｂは、第２のスリット７Ａとも十字状に交差するものを含んでいる。
【００４４】
第２のスリット７Ａ、横スリット７Ｂからなる補助スリットを有し、スリット及び補助スリットにより囲まれた複数の小吸収部７５，７６を有する吸収性コアを用いると、吸収体股下領域４０ｃ及び大面積領域４０ａを合わせたスリット及び補助スリット領域における液の拡散性が一層向上する。
【００４５】
上述したおむつ１，１Ａ，１Ｂ等における構成部材のうち、特に説明しないものについては、使い捨ておむつ等の吸収性物品に用いられている各種のものを特に制限なく用いることができる。
【００４６】
以上、本発明をその好ましい実施形態に基づき説明したが、本発明は上述した実施形態に制限されず、適宜変更可能である。
また、本発明の吸収性物品は、幼児用や成人用の展開式（テープ止め式）の使い捨ておむつの他、幼児用や成人用のパンツ型の使い捨ておむつであってもよい。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【００４７】
前述した本発明の実施形態（態様）に関し、更に以下の付記（使い捨ておむつ）を開示する。
＜１＞
肌対向面を形成する表面シート、非肌対向面を形成する外層シート及び両シート間に位置する吸収体を備えた縦長の使い捨ておむつであって、
前記吸収体は、前記使い捨ておむつの長手方向に長い形状の吸収性コアを有し、該吸収性コアは吸水性ポリマーを含んでおり、
前記吸収性コアは、平面視形状において括れた部分を有しており、
前記吸収性コアに、前記括れた部分の最小幅と同じ長さの吸収体股下領域を設定したときに、長手方向における該吸収体股下領域の前後に、面積が相互に異なる大面積領域及び小面積領域を有しており、
前記吸収性コアに、長手方向に延びるスリットが、前記吸収体股下領域から前記大面積領域に亘って形成されており、
前記スリットは、前記使い捨ておむつの長手方向の全長を２等分する中央線と交差し、該スリットの全長の８０％以上が該中央線より前記大面積領域側に位置し、且つ前記大面積領域における幅が前記股下領域における幅より広い、使い捨ておむつ。
＜２＞
前記表面シートは、前記長手方向に延びる畝部及び畝部間に位置する溝部を有する＜１＞記載の使い捨ておむつ。
＜３＞
前記吸収性コアと前記外層シートとの間に、前記長手方向に伸縮する伸縮性シートを有しており、該伸縮性シートは、少なくとも股下領域における前記スリットと重なる位置に配されている、＜１＞又は＜２＞記載の使い捨ておむつ。
＜４＞
前記吸収性コアと前記外層シートとの間に、前記長手方向に交差する方向に伸縮する伸縮性シートを有しており、該伸縮性シートは、少なくとも吸収体股下領域における前記スリットと重なる位置に配されている、＜１＞〜＜３＞の何れか１に記載の使い捨ておむつ。
＜５＞
前記吸収体は、前記吸収性コアを包むコアラップシートを有し、該吸収性コアと、その非肌対向面側に位置するコアラップシートとの間に、液拡散性に優れたスリット下敷シートが、前記スリットと重ねた状態に配されている、＜１＞〜＜４＞の何れか１に記載の使い捨ておむつ。
【００４８】
＜６＞
前記吸収性コアは、吸水性ポリマーとパルプ繊維とを含み、該吸収性コアの総質量に対する該パルプ繊維の質量の割合が５０％以上である、＜１＞〜＜５＞の何れか１に記載の使い捨ておむつ。
＜７＞
前記吸収体は、前記吸収性コアが、拡散性の高いコアラップシートによって被覆されている、請求項１〜６の何れか１項に記載の使い捨ておむつ。
＜８＞
前記吸収性コアは、前記吸収体股下領域と前記大面積領域とを合わせた領域の内の、前記スリットが形成されている範囲内に位置するスリット領域の坪量が、前記小面積領域の坪量よりも高い、＜１＞〜＜７＞の何れか１に記載の使い捨ておむつ。
＜９＞
前記吸収性コアの前記表面シート側の面が、液透過性の低いコアラップシートによって被覆されている、＜１＞〜＜８＞の何れか１に記載の使い捨ておむつ。
＜１０＞
前記吸収体股下領域及び前記大面積領域に、前記スリットとは別に長手方向に延びる第２のスリット及び該長手方向と交差する方向に延びる複数本の横スリットからなる補助スリットが形成されており、前記吸収性コアに、前記スリット及び前記補助スリットにより囲まれた複数の小吸収部が形成されている、＜１＞〜＜９＞の何れか１に記載の使い捨ておむつ。
【００４９】
＜１１＞
前記吸収体股下領域におけるスリットは、吸収性コアの吸液膨潤後に消失する一方、前記大面積領域におけるスリットは、吸収性コアの吸液膨潤後に消失しない、＜１＞〜＜１０＞の何れか１に記載の使い捨ておむつ。
＜１２＞
前記外層シートは、おむつの非肌対向面側から視た平面視形状は、おむつの外形形状に一致する形状を有し、外層シートとしては、液難透過性の樹脂フィルムからなるか、樹脂フィルムの非肌対向面側に不織布を積層接着したもの何れかである＜１＞〜＜１１＞の何れか１に記載の使い捨ておむつ。
＜１３＞
前記コアラップシートは透水性の薄紙又は透水性の不織布の何れかである＜１＞〜＜１３＞の何れか１に記載の使い捨ておむつ。
＜１４＞
前記吸収性コアの括れた部分における最も幅が狭い部位が、吸収性コアの長手方向に直線状に連続して存在する＜１＞〜＜１３＞の何れか１に記載の使い捨ておむつ。
＜１５＞
前記スリットは、前記中央線ＣＬより大面積領域側に位置する部分の長さＬ２が、スリットの全長Ｌ１８０〜９５％、更に好ましくは８５〜９５％であり、スリットの全長Ｌ１は、前記外層シートの全長Ｌの、４０〜７０％、好ましくは５０〜６０％である＜１＞〜＜１３＞の何れか１に記載の使い捨ておむつ。
【００５０】
＜１６＞
前記スリットは、広幅部分の幅Ｗ２が細幅部分の幅Ｗ１の１．５〜４．０倍、好ましくは２．０〜３．０倍であり、スリットの細幅部分の幅Ｗ１が、２０ｍｍ以下、好ましくは１５ｍｍ以下であり、３ｍｍ以上、好ましくは５ｍｍ以上であり、また、スリットの広幅部分の幅Ｗ２は、４．５ｍｍ以上、好ましくは７．５ｍｍ以上であり、３０ｍｍ以下、好ましくは２０ｍｍ以下であり、また、広幅部分の幅Ｗ２と細幅部分の幅Ｗ１との差（Ｗ２−Ｗ１）は、２ｍｍ以上、好ましくは５ｍｍ以上であり、３０ｍｍ以下、好ましくは２０ｍｍ以下である＜１＞〜＜１５＞何れか１に記載の使い捨ておむつ。
＜１７＞
前記大面積領域の面積は、小面積領域の面積の、１５０％以上であり、好ましくは２００％以上であり、また５００％以下、好ましくは４００％以下であり、また、好ましくは１５０〜５００％であり、更に好ましく２００〜４００％であり、大面積領域の面積は、吸収体股下領域の面積の、３００％以上であり、好ましくは４００％以上であり、また６００％以下、好ましくは５００％以下であり、小面積領域の面積は、吸収体股下領域の面積の、１１０％以上であり、好ましくは１２０％以上であり、また３００％以下、好ましくは２００％以下である＜１＞〜＜１５＞の何れか１に記載の使い捨ておむつ。
＜１８＞
前記スリットは、吸収体股下領域及び大面積領域の何れにおいても吸収性コアを厚み方向に貫通しており、細幅部分と広幅部分は、それぞれ、長手方向Ｘに亘って幅が均一であり、前記スリットは、本実施形態におけるように、小面積領域には延在していない＜１＞〜＜１７＞の何れか１に記載の使い捨ておむつ。
＜１９＞
前記スリットにおいては、スリットと重なる部分において、吸収性コアの肌対向面側に位置する上側コアラップシートと、非肌対向面側に位置する下側コアラップシートとの間が、非接合又は離間状態となっており、スリットと重なる部分において、吸収性コアの肌対向面側に位置する上側コアラップシートと、非肌対向面側に位置する下側コアラップシートとの間が接合されて、吸収体股下領域における細幅部分においては、スリットを介して上下のシート間が接合されている＜１＞〜＜１８＞の何れか１に記載の使い捨ておむつ。
＜２０＞
前記スリット内に、上側のコアラップシート及び表面シートが陥入して、それらが下側のコアラップシート及び外層シートと一体化されている＜１＞〜＜１９＞の何れか１に記載の使い捨ておむつ。
【００５１】
＜２１＞
前記吸収性コアは、パルプ繊維等の繊維材料からなる繊維集合体及びこれに保持させた吸水性ポリマーの粒子からなり、繊維集合体を構成する繊維材料としては、パルプ繊維、レーヨン繊維、コットン繊維、酢酸セルロース何れかの親水性繊維、ポリエチレン、ポリプロピレン何れかのポリオレフィン系繊維、ポリエステル、ポリアミド何れかの縮合系繊維を用い、吸水性ポリマーの粒子は、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸何れからなる粒子である＜１＞〜＜２０＞何れか記載の使い捨ておむつ。
＜２２＞
前記吸収性コアの総質量に対するパルプ繊維の質量の割合は、３０％以上であり、７０％以下、好ましくは６０％以下であり、好ましくは４０〜７０％、更に好ましくは５０〜６０％であり、吸収性コアの総質量に対する、パルプ繊維及び吸水性ポリマーの合計質量の割合は、９０〜１００％であり、好ましくは９５〜１００％である＜１＞〜＜２１＞の何れか１に記載の使い捨ておむつ。
＜２３＞
立体ギャザー及びレッグギャザーが配された＜１＞〜＜２２＞の何れか１に記載の使い捨ておむつ。
＜２４＞
展開型の使い捨ておむつであり、背側部の両側縁部に、ファスニングテープが設けられ、腹側部の外表面にファスニングテープを止着するランディングゾーンが設けられている＜１＞〜＜２３＞の何れか１に記載の使い捨ておむつ。
【実施例】
【００５２】
以下、本発明を実施例を用いて更に説明するが、本発明は、斯かる実施例によって何ら制限されるものではない。
【００５３】
〔実施例〕
図９（ａ）に示す形状の吸収性コア４０を備えた吸収体を製造した。吸収性コア４０は、パルプ繊維と吸水性ポリマーの混合積繊体として形成し、パルプ繊維の割合は５０質量％とした。パルプ繊維としては、通常のフラッフパルプを用いた。吸収性コア４０の肌対向面側を被覆するコアラップシートとしては下記のものを用いた。
コアラップシート：坪量１３．５ｇ／ｍ２の薄葉紙
実施例で用いた吸収性コア４０の各部の寸法を表１に示した。
【００５４】
【表１】
0005848312.tif 000002
【００５５】
上記の吸収体を、表面シートと外層シートとの間に挟み、両シート間を吸収体の周囲において接合して評価用のおむつを得た。
表面シート：坪量３６ｇ／ｍ２のエアスルー不織布
〔比較例〕
スリットを図１０（ａ）に示すように幅が均一なものに代えた以外は、実施例と同様にして評価用のおむつを製造した。
【００５６】
〔評価〕
以下の方法により液戻り量及び液拡散面積を測定し、その結果を表１に示した。
〔液戻り量〕
実施例及び比較例の各評価用のおむつを、５°の傾斜をつけた平板上に、大面積領域側を傾斜下端側にして固定した。赤く着色した人工尿１２０ｇを３回に分けて１０分おきに４０ｇずつ注入した。３回目の注入終了後、１０分放置した後、コラーゲンフィルム（Ｎａｔｕｒｉｎ社、商品名ＣＯＦＦＩＪ）を７０ｍｍ角にカットしたものを４枚重ねたものを載せた。更にその上に圧力が７ｋＰａになるように重りを載せて３０秒間加圧した。加圧後、コラーゲンフィルムを取り出し、加圧前後のコラーゲンフィルムの重さを測定して、コラーゲンフィルムに吸収された液の重量を測定して液戻り量とした。
【００５７】
〔液拡散面積〕
液戻り量の測定が終了した直後に、ＯＨＰ用フィルムを表面シートの上に置き、表面シートが赤く拡がった部分の輪郭を書き込んだ。その輪郭の内側の面積を測定できる専用ソフト（Ｉｍａｇｅ−ＰｒｏＰｌｕｓ：（株）日本ローパー社製）を用い、ＯＨＰフィルムに書き込まれた画像をスキャナーでパソコンに取り込んで液拡散面積を求めた。
【００５８】
表１に示す結果から、大面積領域４０ａにスリットの幅を広げた広幅部分７２を設けた実施例のおむつは、全長に亘って幅が均一なスリットを設けた比較例のおむつに比べて、液拡散面積が大きく、実施例のおむつの方が、吸収性コアの吸収容量をより有効に活用したことが判る。また、実施例のおむつは、比較例に比べて液戻り量も少なく、実施例のおむつが、肌への液戻り防止性にも優れていることが判る。また、実施例のおむつは、吸収容量をより有効に利用できることから、比較例のおむつに比べて漏れ防止性にも優れることが判る。なお、実施例のおむつ及び比較例のおむつは、いずれも、吸収性コアが括れた部分を有するため、股下部のフィット性に優れている。
【００５９】
また、液拡散面積で、表面シートが赤く拡がった部分の輪郭をＯＨＰ用フィルムに写しとった後に、表面シートを剥がし、吸収性コアのスリットの状態を観察したところ、実施例の吸収性コアは、図９（ｂ）に示すように、吸収体股下領域においてはスリット７が消失する一方、大面積領域においては、スリット７の広幅部分７２が消失していなかった。これに対して、比較例の吸収性コアは、図１０（ｂ）に示すように、スリット７が、吸収体股下領域及び大面積領域の何れにおいても消失していた。
大面積領域に形成する広幅部分の幅を、吸収性コアが吸液して膨潤した後にも、スリットが残るような幅とすることにより、繰り返し液を吸収する際に液拡散性を維持することができる。
【００６０】
本発明の使い捨ておむつは、このように、吸収体股下領域におけるスリットは、吸収性コアの吸液膨潤後に消失する一方、大面積領域におけるスリットは、吸収性コアの吸液膨潤後に消失しないことが好ましい。
なお、吸収体股下領域及び大面積領域におけるスリットが、吸収性コアの吸液膨潤後に消失するか否かは、吸収性コアを下記の方法で吸液膨潤させて観察する。また、スリットが消失するとは、スリットの幅が０ｍｍになることを意味する。
【００６１】
＜吸収性コアの吸液膨潤条件＞
実施例及び比較例の各評価用のおむつを、平坦な平板上に、赤く着色した人工尿１２０ｇを３回に分けて１０分おきに４０ｇ注入し、注入終了５分後に、スリットが肌当接面側から平面視して、目視にてスリットが消失する有無を観察する。
【符号の説明】
【００６２】
１  使い捨ておむつ
２，２Ａ，２Ｂ  表面シート
２１  畝部
２２  溝部
３  外層シート
４  吸収体
４０  吸収性コア
４０ａ，４０ｂ  両端
４０ｃ  吸収体股下領域
４０ａ  大面積領域
４０ｂ  小面積領域
４０ｓ  スリット領域
４１，４２  コアラップシート
Ｐ  括れた部分
５  ファスニングテープ
６  立体ギャザー
７  スリット
７１  細幅部分
７２  広幅部分
７５，７６  小吸収部
７Ａ  第２のスリット（補助スリット）
７Ｂ  横スリット（補助スリット）
８  伸縮性シート
【図１】
0005848312.tif 000003
【図２】
0005848312.tif 000004
【図３】
0005848312.tif 000005
【図４】
0005848312.tif 000006
【図５】
0005848312.tif 000007
【図６】
0005848312.tif 000008
【図７】
0005848312.tif 000009
【図８】
0005848312.tif 000010
【図９】
0005848312.tif 000011
【図１０】
0005848312.tif 000012
【図１１】
0005848312.tif 000013